(57)【特許請求の範囲】
【請求項１】
指先を挿入可能な指サック状の本体と、まつ毛に化粧料を付着させる化粧料付着部と、
前記本体と前記化粧料付着部とを所定空間を隔てて連結固定する連結部とを有するまつ毛用化粧料塗布具であって、
使用時に前記空間にまつ毛を配して、まつ毛に化粧料を付着するようになしてあり、
前記化粧料付着部は、前記本体の側方に該本体の長手方向に延びている、まつ毛用化粧料塗布具。
【請求項２】
指先を挿入可能な指サック状の本体と、まつ毛に化粧料を付着させる化粧料付着部と、
前記本体と前記化粧料付着部とを所定空間を隔てて連結固定する連結部とを有するまつ毛用化粧料塗布具であって、
使用時に前記空間にまつ毛を配して、まつ毛に化粧料を付着するようになしてあり、
前記化粧料付着部の基端部が前記連結部の一端部に連設されており、前記本体の基端部と該連結部の他端部とがヒンジ結合部にて結合されて、該ヒンジ結合部を介して前記化粧料付着部が前記本体の略上下方向に回動可能になされており、
前記化粧料付着部の軸と前記本体の軸とのなす角が平行から３０°の範囲である、まつ毛用化粧料塗布具。
【請求項３】
指先を挿入可能な指サック状の本体と、まつ毛に化粧料を付着させる化粧料付着部と、
前記本体と前記化粧料付着部とを所定空間を隔てて連結固定する連結部とを有するまつ毛用化粧料塗布具であって、
使用時に前記空間にまつ毛を配して、まつ毛に化粧料を付着するようになしてあり、
前記化粧料付着部の基端部が前記連結部の一端部に連設されており、前記本体の基端部は前記連結部の他端部の内径より小さな外径を有し、該連結部の該他端部が該本体の該基端部に嵌装されて、該本体の周方向に該連結部が回転可能なようになされており、
前記化粧料付着部は、前記本体の長手方向に延びている、まつ毛用化粧料塗布具。
【請求項４】
指先を挿入可能な指サック状の本体と、まつ毛に化粧料を付着させる化粧料付着部と、
前記本体と前記化粧料付着部とを所定空間を隔てて連結固定する連結部とを有するまつ毛用化粧料塗布具であって、
使用時に前記空間にまつ毛を配して、まつ毛に化粧料を付着するようになしてあり、
前記化粧料付着部の基端部が前記連結部の一端部に連設されており、
前記本体は、先端部に該本体の長手方向と鋭角に交差する傾斜面を備え、
前記本体の先端部の前記傾斜面と該連結部の他端部とがピンによりピン結合されており、
前記ピンを軸に、前記化粧料付着部が前記本体の長手方向に延びている状態から該本体の長手方向と直交する方向に延びている状態に移動可能なようになされている、まつ毛用化粧料塗布具。
【請求項５】
前記まつ毛用化粧料付着部を収容する筒状の容器を備え、前記容器の内部に該容器の開口部から前記まつ毛用化粧料付着部が挿入されて、前記まつ毛用化粧料付着部が前記容器により覆われている請求項１〜請求項４の何れか１項に記載のまつ毛用化粧料塗布具。
【請求項６】
請求項１〜請求項５の何れか１項に記載のまつ毛用化粧料塗布具、該まつ毛用化粧料付着部を覆う筒状の容器、および化粧料からなるまつ毛化粧用物品であって、
前記容器は前記化粧料を収容しており、該容器の内部に該容器の開口部から前記まつ毛用化粧料付着部が挿入されて該化粧料中に該まつ毛用化粧料付着部が含浸されている、まつ毛化粧用物品。
【発明の詳細な説明】
【技術分野】
【０００１】
本発明は、まつ毛に化粧料を付着させるまつ毛用化粧料塗布具に関する。
【背景技術】
【０００２】
従来から、まつ毛に化粧料を付着させるのに、マスカラ用のマスカラ塗布具等が用いられている。例えば、特許文献１には、棒状の柄の先端に、該柄の長手方向と同方向に延びるブラシを備えたマスカラ塗布用ブラシが記載されている。
【０００３】
まつ毛にマスカラを生え際からしっかりと塗布する場合に、目は非常に弱い部分であり、まつ毛は短いものであるため、使用者に恐怖心を与える場合がある。例えば、特許文献１に記載のマスカラ塗布用ブラシを用いて、まつ毛にマスカラを生え際からしっかりと塗布する場合や、あるいは、ブラシの先端を使って細かい部分を塗布する場合に、指先からマスカラを塗布するブラシが離れているため、指先のように、ブラシを操作することが難しい。
【０００４】
指先のようにブラシを操作し易い観点から、特許文献２には、指を受け入れるようにした保持体と、保持体の先端に取り付けられた塗布部片とを備えたメーキャップ塗布器が記載されている。しかしながら、引用文献２に記載のメーキャップ塗布器は、特許文献１に記載のマスカラ塗布用ブラシと同様に、保持体の先端に、該保持体の長手方向と同方向に塗布部片が延びており、指先から塗布部片の先端部が離れているため、まつ毛にマスカラを生え際からしっかりと塗布する場合に、指先のように、塗布部片を操作することが難しい。
【先行技術文献】
【特許文献】
【０００５】
【特許文献１】特開昭６３−１４３００６号公報
【特許文献２】実開昭５５−４１１９９号公報
【発明の概要】
【発明が解決しようとする課題】
【０００６】
したがって、本発明の課題は、指先のように化粧料付着部を操作することができ、まつ毛に化粧料を生え際からしっかりと塗布する場合にも、ブラシ先端を使用者に恐怖心を与え難いまつ毛用化粧料塗布具を提供することにある。
【課題を解決するための手段】
【０００７】
本発明は、指先を挿入可能な指サック状の本体と、まつ毛に化粧料を付着させる化粧料付着部と、前記本体と前記化粧料付着部とを所定空間を隔てて連結固定する連結部とを有するまつ毛用化粧料塗布具であって、使用時に前記空間にまつ毛を配して、まつ毛に化粧料を付着するようになしてある、まつ毛用化粧料塗布具を提供するものである。
【発明の効果】
【０００８】
本発明のまつ毛用化粧料塗布具によれば、指先のように化粧料付着部を操作することができ、まつ毛に化粧料を生え際からしっかりと塗布する場合にも、使用者に恐怖心を与え難い。
【図面の簡単な説明】
【０００９】
【図１】図１は、本発明の第１実施形態であるまつ毛用化粧料塗布具の斜視図である。
【図２】図２は、図１に示すまつ毛用化粧料塗布具の側面図である。
【図３】図３は、第１実施形態のまつ毛用化粧料塗布具と、化粧料を収容した容器とを組み合わせたまつげ化粧用物品の側面断面図である。
【図４】図４は、本発明の第１実施形態であるまつ毛用化粧料塗布具の使用方法を説明する図である。
【図５】図５は、本発明の第２実施形態であるまつ毛用化粧料塗布具の斜視図である。
【図６】図６は、図５に示すまつ毛用化粧料塗布具の側面図である。
【図７】図７は、本発明の第３実施形態であるまつ毛用化粧料塗布具の斜視図である。
【図８】図８は、図７に示すまつ毛用化粧料塗布具の側面図である。
【図９】図９は、本発明の第４実施形態であるまつ毛用化粧料塗布具の斜視図である。
【図１０】図１０は、図９のＸ１−Ｘ１線断面図である。
【図１１】図１１は、本発明の第５実施形態であるまつ毛用化粧料塗布具の斜視図である。
【図１２】図１２は、図１１に示すまつ毛用化粧料塗布具の側面図である。
【発明を実施するための形態】
【００１０】
以下、本発明のまつ毛用化粧料塗布具を、その好ましい第１実施形態に基づき、図１〜図４を参照しながら説明する。
【００１１】
第１実施形態のまつ毛用化粧料塗布具１Ａ（以下、「化粧料塗布具１Ａ」ともいう。）は、図１，図２に示すように、指先を挿入可能な指サック状の本体２と、まつ毛に化粧料を付着させる化粧料付着部３と、本体２と化粧料付着部３とを所定空間Ｓを隔てて連結固定する連結部４とを有している。具体的に説明すると、指サック状の本体２は、図１，図２に示すように、先端部２１と基端部２２とを備えており、内部に指先が挿入可能な略円柱状の形状をしている。本体２の内面の横断面形状としては、円形状、楕円形状、多角形等が挙げられ、指の周りに本体２が回転し難い観点から、楕円形状であることが好ましい。本体２は、その内部に、例えば、使用者の人差し指の指先から第１関節近傍までが挿入可能に形成されていることが好ましく、具体的には、本体２の長手方向（図中に示すＹ方向と同方向）の長さが、１５ｍｍ〜３５ｍｍであることが好ましく、１８ｍｍ〜３０ｍｍであることが更に好ましい。また、本体２の幅方向（図中に示すＸ方向と同方向）の長さが、１５ｍｍ〜４０ｍｍであることが好ましく、１８ｍｍ〜３０ｍｍであることが更に好ましい。また、本体２の厚みが、０．１ｍｍ〜３ｍｍであることが好ましく、０．５ｍｍ〜２ｍｍであることが更に好ましい。
【００１２】
第１実施形態においては、本体２は、先端部２１側の天面（Ｙ方向上方の面）に、本体２の内部に指先を挿入する際に、使用者の爪やつけ爪が邪魔にならないように、爪やつけ爪が挿通可能な爪用口２３を備えている。尚、第１実施形態の本体２においては、後述する化粧料付着部３側に人差し指の腹側を向けて内部に挿入しても、化粧料付着部３側に人差し指の背側を向けて内部に挿入しても、使用者の爪やつけ爪が邪魔にならないように、化粧料付着部３側に１個の爪用口２３を設け、化粧料付着部３と反対側に別の１個の爪用口２３を設けている。
【００１３】
第１実施形態においては、本体２は、その内部に様々な使用者の人差し指のサイズに対応可能なように、図１，図２に示すように、後述する化粧料付着部３と反対側の側面であって、且つ先端部２１と基端部２２との間に、人差し指の一部が露出するような切り欠き部２４を備えている。また、本体２は、図１，図２に示すように、基端部２２にもＹ方向に延在する側面切り欠き部２５を備えており、側面切り欠き部２５は切り欠き部２４に連接している。このように、本体２の基端部２２は、図１，図２に示すように、人差し指の全周を囲むようには形成されておらず、使用者の人差し指のサイズに対応可能なように、本体２の周方向に弾性変形可能に形成されている。このように弾性変形可能な観点から、本体２の構成材料としては、合成樹脂や金属、これらの複合体等が用いられる。
【００１４】
本体２の内壁には、本体２の内部に人差し指を挿入した後滑らないように、抵抗のある処理が施されていることが好ましい。本体２の内壁に施される抵抗のある処理としては、例えば、凹凸形状の付与、弾性部材や接着剤等の塗布等の処理が挙げられる。
【００１５】
まつ毛に化粧料を付着させる化粧料付着部３は、図１，図２に示すように、第１実施形態においては、本体２の側方に本体２の長手方向（Ｙ方向）に延びている。化粧料塗布具１Ａの化粧料付着部３は、図１，図２に示すように、先端部３１と基端部３２とを備え、全体として、所謂スクリュータイプの形状をしている。具体的には、化粧料付着部３は、図１，図２に示すように、芯材３３と、芯材３３に保持された多数の毛材３４とを備え、多数の毛材３４が芯材３３の周囲から突出しており、芯材３３の軸線方向から見ると、多数の毛材３４が放射状に突出している。芯材３３は、例えば、二条の金属芯線材により構成されており、多数の毛材３４は、例えば、熱可塑性樹脂からなる複数のブラシ繊維により構成されている。第１実施形態の化粧料付着部３は、複数のブラシ繊維を束の状態で、二条の前記金属芯線材（図示せず）によって挟持されながら、これらをらせん状に捻回することによって多数の毛材３４を芯材３３に保持して形成されている。尚、第１実施形態の化粧料付着部３は、上述したように、多数の毛材３４によるスクリュータイプの形状をしているが、多数の毛材３４を芯材の軸の周囲に放射状に設けた円筒状の形状でもよく、フロッキー（静電植毛）タイプ、コイルタイプ、コームタイプ、ツリータイプ、カーブタイプ、グラマラスタイプ、つくしタイプ、ひょうたんタイプ、 アシンメトリータイプの形状でもよい。また、化粧料付着部３は、毛材３４の代わりに、コーム（櫛歯）状の突起を設けて形成されていてもよい。
【００１６】
第１実施形態においては、化粧料付着部３は、図１，図２に示すように、本体２の側方に配されており、Ｙ方向に長く、本体２側に凸となるように弓状に湾曲している。この湾曲に関し、化粧料付着部３が湾曲していると、手首等を曲げずに指先だけを動かしてまつ毛に化粧料を付与できる観点から、芯材３３の曲率半径は、２０ｍｍ〜∞（直線）であることが好ましく、２５ｍｍ〜７０ｍｍであることが更に好ましい。尚、第１実施形態においては、化粧料付着部３は、本体２側に凸となるように弓状に湾曲しているが、直線であってもよく、本体２側に凹となるように弓状に湾曲していてもよい。あるいは、図２の紙面に垂直手前側に凸または凹となるように弓上に湾曲していてもよい。
【００１７】
化粧料付着部３は、図１，図２に示すように、Ｙ方向の長さが、使用者の人差し指の指先から第１関節近傍までの間隔と略同じであるか、少し長い程度であることが、人差し指の末節の動きに追従し易い観点から好ましく、具体的には１５ｍｍ〜３５ｍｍであることが好ましく、１８ｍｍ〜２８ｍｍであることが更に好ましい。
【００１８】
化粧料付着部３を構成する毛材３４は、芯材３３のＹ方向の１0ｍｍ当たり、８０本〜３５０本程度配されていることが好ましく、１００本〜２５０本程度配されていることが更に好ましい。毛材３４は、化粧料付着部３の基端部３２から先端部３１に向かって、その長さが漸次短くなっていることが好ましい。具体的には、基端部３２側の毛材３４は、芯材３３から０．１ｍｍ〜８ｍｍ突出していることが好ましく、先端部３１側の毛材３４は、芯材３３から０．０５ｍｍ〜６ｍｍ突出していることが好ましい。毛材３４の太さは、直径０．０５ｍｍ〜０．３ｍｍであることが好ましい。
【００１９】
本体２と化粧料付着部３とを連結固定する連結部４は、図１，図２に示すように、板状の形状をしている。連結部４の厚み（Ｙ方向の長さ）は、強度を保てる範囲で、できるだけコンパクトな方が塗布時に邪魔にならない観点から、０．１ｍｍ〜５ｍｍであることが好ましい。連結部４の構成材料としては、合成樹脂や金属、これらの複合体等が用いられる。
尚、本体２及び連結部４は、化粧料付着部３周辺が暗くなり難い観点から、透明色あるいは複数の開口部を有するメッシュ構造体であることが好ましい。
【００２０】
本発明のまつ毛用化粧料塗布具は、使用時に、本体２と化粧料付着部３との空間Ｓにまつ毛を配して、まつ毛に化粧料を付着するようになしてある。第１実施形態の化粧料塗布具１Ａにおいては、化粧料付着部３は、図１，図２に示すように、化粧料付着部３の基端部３２が連結部４の一端部４１に連設されており、本体２の基端部２２が連結部４の他端部４２に連設されて形成されている。第１実施形態の化粧料塗布具１Ａにおいては、化粧料付着部３は、図１，図２に示すように、本体２の長手方向（Ｙ方向）に延びている。具体的には、図１，図２に示すように、連結部４が、本体２の長手方向（Ｙ方向）に直交する本体２の幅方向（Ｘ方向）に配されており、本体２の基端部２２に連接されている。本体２に連接されている側と反対側の連結部４の端部（一端部）４１には、連結部４の上面（本体２の先端部２１側の面）に、化粧料付着部３の基端部３２が連接されている。化粧料付着部３は、その先端部３１が本体２の長手方向（Ｙ方向）の上方（本体２の先端部２１側）に延出している。
【００２１】
第１実施形態の化粧料塗布具１Ａにおいては、化粧料付着部３が本体２の側方に位置することが塗布のしやすさや恐怖感を与えないという点から好ましい。このような位置関係を具現化する形態として、化粧料塗布具１Ａにおいては、図１，図２に示すように、本体２の基端部２２側に連結部４の他端部４２が連設され、連結部４の一端部４１からＹ方向の上向きに化粧料付着部３が連接されて本体２の側方に位置するように形成されているが、本体２の先端部２１側に連結部４の他端部４２が連接され、連結部４の一端部４１からＹ方向の下向きに化粧料付着部３が連接されて本体２の側方に位置するように形成されていても良い。
【００２２】
第１実施形態の化粧料塗布具１Ａにおいては、図１，図２に示すように、本体２及び化粧料付着部３が長手方向（Ｙ方向）に延びており、Ｘ方向に空間Ｓを隔てて並置されている。第１実施形態の化粧料塗布具１Ａにおいては、使用時に、本体２と化粧料付着部３との間の空間Ｓにまつ毛を配して、まつ毛に化粧料を付着するようになしてある。本体２と化粧料付着部３との空間Ｓ（Ｘ方向における間隔）は、間隔が狭すぎると視界が遮られて化粧料を塗布し難く、間隔が広すぎると指先の移動量よりも化粧料付着部３の移動量の方が大きくなって使い難くなってしまったり、腕や肘を上げた状態の姿勢となるため肩が疲れてしまったりする観点から、３ｍｍ〜３０ｍｍであることが好ましく、５ｍｍ〜１８ｍｍであることが更に好ましい。尚、本体２と化粧料付着部３との間隔は、最も間隔が狭い位置での値である。
【００２３】
第１実施形態の化粧料塗布具１Ａにおいては、図３に示すように、化粧料付着部３を収容する筒状の容器５を備え、容器５の内部に容器５の開口部５１から化粧料付着部３が挿入されて、化粧料付着部３が容器５により覆われている。具体的には、有底円筒状の容器５は、化粧料塗布具１Ａを保存する際に用いられ、化粧料塗布具１Ａの使用時には外されるものである。第１実施形態の化粧料塗布具１Ａにおいては、図１，図２，図３に示すように、連結部４の一端部４１と化粧料付着部３の基端部３２との連設位置において、容器５を固定する後述する別パーツ６を固定する土台４３が、一端部４１の上面（本体２の先端部２１側の面）に連設されている。土台４３は、図１，図２，図３に示すように、その外周面に、ねじ山を備えている。土台４３の構成材料としては、連結部４と同じ材料が用いられる。
【００２４】
第１実施形態の容器５は、図３に示すように、化粧料付着部３を覆うことができる大きさであり、具体的には、Ｙ方向の長さが、１５ｍｍ〜４０ｍｍであることが好ましく、Ｘ方向の長さが、３ｍｍ〜５０ｍｍであることが好ましい。容器５は、図３に示すように、その開口部５１の外周面に、ねじ山を備えている。容器５の構成材料としては、合成樹脂や金属やガラス、これらの複合体等が用いられる。
【００２５】
第１実施形態の化粧料塗布具１Ａにおいては、図３に示すように、化粧料塗布具１Ａの保存時に化粧料付着部３を収容する容器５と、連結部４の土台４３とを連結するために、別パーツ６を用いることができる。別パーツ６は、図３に示すように、Ｙ方向に貫通した略筒状の形態であり、Ｙ方向の略中央に、化粧料付着部３に付着した化粧料をしごき取るしごき部６１が設けられており、しごき部６１のあるＹ方向の略中央においては、Ｙ方向に貫通した貫通口の穴径が極端に狭くなっている。しごき部６１は、弾性変形可能な材料から形成されており、別パーツ６にしごき部６１が設けられていることによって、使用時に容器５から化粧料付着部３を抜き出す際に、化粧料付着部３の例えば毛材３４に過剰に付着した化粧基剤が除去され易い。
【００２６】
別パーツ６は、図３に示すように、しごき部６１よりもＹ方向の下方側（本体２の基端部２２側）の内周面に、土台４３のねじ山に対応するねじ溝を備えており、土台４３のねじ山と別パーツ６のねじ溝とが螺合して、別パーツ６が連結部４の一端部４１（土台４３）に螺設している。また、別パーツ６は、図３に示すように、しごき部６１よりもＹ方向の上方側（本体２の先端部２１側）の内周面に、容器５の開口部５１のねじ山に対応するねじ溝を備えており、容器５の開口部５１のねじ山と別パーツ６のねじ溝とが螺合して、容器５が別パーツ６に螺設しており、容器５が別パーツ６を介して連結部４の一端部４１に係脱可能に係合している。
【００２７】
まつ毛に付着させる化粧料の基剤としては、マスカラ薬剤、染毛剤等が挙げられる。マスカラ薬剤としては、その種類に特に制限はなく、従来公知の薬剤を用いることができる。また、染毛剤としては、その種類に特に制限はなく、例えば、酸性染料を着色剤とする染毛剤、酸性染料及びカーボンブラックを着色剤とする染毛剤、顔料を着色剤とする染毛剤等が挙げられる。
【００２８】
上述した本発明の第１実施形態のまつ毛用化粧料塗布具１Ａを使用した際の作用効果について説明する。
第１実施形態の化粧料塗布具１Ａは、化粧料付着部３に化粧料を貯留させて使用される。図４には、化粧料塗布具１Ａを用いてまつ毛に化粧料を塗布する方法が示されている。
先ず、図４に示すように、本体２の内部に指先を挿入して化粧料塗布具１Ａを指先に固定する。尚、図４においては、本体２の切り欠き部２４から人差し指の背側（爪側）の一部が露出するように取り付けられているが、切り欠き部２４から人差し指の腹側の一部が露出するように取り付けられていてもよい。次に、図４に示すように、化粧料付着部３の毛材３４に、別に用意した化粧料を貯留させ、化粧料付着部３に化粧料が貯留した化粧料塗布具１Ａを、まつ毛に接近させ、化粧料付着部３と本体２との空間Ｓにまつ毛を配する。次いで、図４に示すように、第１実施形態においては、化粧料付着部３の毛材３４間にまつ毛を入り込ませ、人差し指の先端を動かすことにより化粧料付着部３をまつ毛の生え際からまつ毛の上方にむけて移動させながら、毛材３４間に貯留している化粧料をまつ毛に塗布する。
【００２９】
第１実施形態の化粧料塗布具１Ａは、図１，図４に示すように、本体２を指に固定し、使用時に、本体２と化粧料付着部３との空間Ｓにまつ毛を配して、まつ毛に化粧料を付着するようになしてあるので、化粧料塗布具１Ａの化粧料付着部３が指先の動きに追従し易い。具体的には、化粧料付着部３の移動量（変位及び角度変化量）が指先の移動量と比べて拡大も縮小もされず、ほぼ等しい為、指先のように化粧料付着部３を操作することができる。従って、まつ毛に化粧料を生え際からしっかりと塗布する場合にも、使用者に恐怖心を与え難い。
【００３０】
第１実施形態の化粧料塗布具１Ａは、図１，図４に示すように、本体２及び化粧料付着部３が長手方向（Ｙ方向）に延びており、使用時に、本体２と化粧料付着部３との空間Ｓにまつ毛を配して、まつ毛に化粧料を付着するようになしてあるので、鏡を見ながら化粧料塗布具１Ａを操作する際に、本体２と化粧料付着部３との間からまつ毛の位置や化粧料付着部３の位置を両目で確認することができ、遠近感を掴み易い。従って、化粧料塗布具１Ａを操作し易く、利き腕とは反対側の目にも化粧料を付着させ易い。
【００３１】
また、第１実施形態の化粧料塗布具１Ａ、化粧料塗布具１Ａを覆う筒状の容器５、および化粧料からまつげ化粧用物品が提供される。即ち、このまつげ化粧用物品においては、容器５は化粧料を収容しており、容器５の内部に容器５の開口部５１からまつ毛用化粧料付着部３が挿入されて化粧料中にまつ毛用化粧料付着部３が含浸されている。このようなまつげ化粧用物品は、携帯性に優れ、また、化粧料塗布具１Ａを保存する際には、化粧料付着部３が筒状の容器５により覆われており、化粧料塗布具１Ａを使用する際には、容器５の内部の化粧料中に化粧料付着部３を含浸し、化粧料付着部３に余分に貯留した化粧料をしごき部６１でしごいて適度に化粧料を化粧料付着部３に貯留させた状態で使用できるので便利である。
【００３２】
次に、本発明の第２実施形態のまつ毛用化粧料塗布具１Ｂ（以下、「化粧料塗布具１Ｂ」ともいう。）について、図５〜図６に基づいて説明する。
第２実施形態の化粧料塗布具１Ｂについては、第１実施形態の化粧料塗布具１Ａと異なる点について説明する。特に説明しない点は、化粧料塗布具１Ａと同様であり、化粧料塗布具１Ａの説明が適宜適用される。
【００３３】
第２実施形態の化粧料塗布具１Ｂにおいては、図５，図６に示すように、化粧料付着部３の基端部３２が連結部４の一端部４１に連設されており、本体２の先端部２１が連結部４の他端部４２に連設されている。第２実施形態の化粧料塗布具１Ｂにおいては、化粧料付着部３は、本体２の先端部２１の近傍に本体２の長手方向（Ｙ方向）と交差する方向に延びている。以下、具体的に説明する。尚、第２実施形態の本体２は、第１実施形態の本体２と同様に、人差し指の一部が露出するような切り欠き部２４、及び側面切り欠き部２５を備えていてもよいが、図５，図６には、切り欠き部２４及び側面切り欠き部２５は、図示されていない。
【００３４】
第２実施形態においては、化粧料付着部３は、図５，図６に示すように、Ｘ方向に長く、本体２側に凸となるように弓状に湾曲している。尚、第２実施形態においては、化粧料付着部３は、本体２側に凸となるように弓状に湾曲しているが、直線状でもよく、本体２側に凹となるように弓状に湾曲していてもよい。
【００３５】
第２実施形態の化粧料塗布具１Ｂにおいては、化粧料付着部３は、図５，図６に示すように、本体２の先端部２１の近傍であって、本体２の先端部２１からＹ方向の上方に空間Ｓを隔てて、Ｙ方向と交差するＸ方向に延びて形成されているが、本体２の先端部２１の近傍であれば、本体２の先端部２１と交差する位置にＸ方向に延びる化粧料付着部３を配してもよい。本体２の先端部２１と交差する位置に化粧料付着部３を配する場合には、例えば、図６に示すＹ方向及びＸ方向に直交する前後方向に、本体２の先端部２１から空間Ｓを隔てて化粧料付着部３を配すればよい。
【００３６】
化粧料付着部３は、図５，図６に示すように、Ｘ方向の長さが、使用者の人差し指の指先から第１関節近傍までの間隔と略同じであるか、少し長い程度であることが、人差し指の末節の動きに追従し易い観点から好ましく、具体的には１５ｍｍ〜３５ｍｍであることが好ましく、１８ｍｍ〜２８ｍｍであることが更に好ましい。
【００３７】
本発明のまつ毛用化粧料塗布具は、使用時に、本体２と化粧料付着部３との空間Ｓにまつ毛を配して、まつ毛に化粧料を付着するようになしてある。第２実施形態の化粧料塗布具１Ｂにおいては、化粧料付着部３は、図５，図６に示すように、化粧料付着部３の基端部３２が連結部４の一端部４１に連設されており、本体２の先端部２１が連結部４の他端部４２に連設されて形成されている。第２実施形態の化粧料塗布具１Ｂにおいては、化粧料付着部３は、図５，図６に示すように、本体２の長手方向（Ｙ方向）と直交する方向（Ｘ方向）に延びている。具体的には、図５，図６に示すように、連結部４が、本体２の長手方向（Ｙ方向）と同方向に配されて、一端部４１と他端部４２との間で逆「くの字」状に折れ曲がっており、連結部４の他端部４２が本体２の先端部２１に連接されている。連結部４の前記折れ曲がり角度αは、９０°〜１８０°であることが好ましく、１００°〜１６０であることがより好ましい。折れ曲がり角度αをこの範囲にすることで、空間Ｓを適切にとりつつ、化粧料付着部３を指先の延長上に位置させることができる。また、化粧料付着部３の長さを適切にとり、かつ、塗布部先端３１の位置を指先から遠過ぎない適切な位置に配置することができる。本体２に連接されている他端部４２と反対側の連結部４の一端部４１には、連結部４の内面（本体２の先端部２１側の面）に、化粧料付着部３の基端部３２が連接されている。化粧料付着部３は、その先端部３１が本体２の幅方向（Ｘ方向）の図６中の左方に延出している。尚、第２実施形態の粧料付着部３は、図５，図６に示すように、本体２の長手方向（Ｙ方向）と直交する方向（Ｘ方向）に延びているが、本体２の長手方向（Ｙ方向）と交差する方向に延びていればよい。
【００３８】
第２実施形態の化粧料塗布具１Ｂにおいては、図５，図６に示すように、本体２が長手方向（Ｙ方向）に延びており、化粧料付着部３が長手方向（Ｙ方向）に直交する幅方向（Ｘ方向）に延びている。第２実施形態の化粧料塗布具１Ｂにおいては、使用時に、本体２の先端部２１と化粧料付着部３との空間Ｓにまつ毛を配して、まつ毛に化粧料を付着するようになしてある。本体２の先端部２１と化粧料付着部３との空間Ｓ（Ｙ方向における間隔）は、間隔が狭すぎると視界が遮られて化粧料を塗布し難く、間隔が広すぎると指先の移動量よりも化粧料付着部３の移動量の方が大きくなって使い難くなってしまったり、腕や肘を上げた状態の姿勢となるため肩が疲れてしまったりする観点から、３ｍｍ〜３０ｍｍであることが好ましく、５ｍｍ〜１８ｍｍであることが更に好ましい。尚、本体２の先端部２１と化粧料付着部３との間隔は、最も間隔が狭い位置での値である。
【００３９】
上述した本発明の第２実施形態のまつ毛用化粧料塗布具１Ｂを使用した際の作用効果について説明する。
第２実施形態の化粧料塗布具１Ｂの効果については、第１実施形態の化粧料塗布具１Ａの効果と異なる点について説明する。特に説明しない点は、化粧料塗布具１Ａの効果と同様であり、化粧料塗布具１Ａの効果の説明が適宜適用される。
【００４０】
第２実施形態の化粧料塗布具１Ｂにおいては、図５，図６に示すように、化粧料付着部３が、本体２の長手方向（Ｙ方向）と直交する方向（Ｘ方向）に延びているので、化粧料を塗布する際に、化粧料塗布具１Ｂを装着した指を鉛直上向きに向けて、肘を下ろして操作することになるので、肘や手首などの姿勢が無理なく楽に塗布することができ、また、使用者の利き腕にかかわらず、左右どちらのまつげでも操作性の差異が小さく楽に塗布することができる。さらに、例えば目尻側と目頭側など、俯瞰視でまぶたの湾曲の向きが異なる部位でも、手首を僅かに捻るだけで、化粧料付着部３をまぶたの湾曲に沿わせることができ、まぶたの端から端まで手早く簡単に塗布を仕上げることができる。
【００４１】
尚、第２実施形態の化粧料塗布具１Ｂと、化粧料を収容した容器５とを組み合わせることでまつげ化粧用物品が提供される。
【００４２】
次に、本発明の第３実施形態のまつ毛用化粧料塗布具１Ｃ（以下、「化粧料塗布具１Ｃ」ともいう。）について、図７〜図８に基づいて説明する。
第３実施形態の化粧料塗布具１Ｃについては、第１実施形態の化粧料塗布具１Ａと異なる点について説明する。特に説明しない点は、化粧料塗布具１Ａと同様であり、化粧料塗布具１Ａの説明が適宜適用される。
【００４３】
第３実施形態の化粧料塗布具１Ｃにおいては、図７，図８に示すように、化粧料付着部３の基端部３２が連結部４の一端部４１に連設されており、本体２の基端部２２と連結部４の他端部４２とがヒンジ結合部７にて結合されている。第３実施形態の化粧料塗布具１Ｃにおいては、図８に示すように、ヒンジ結合部７を介して化粧料付着部３が本体２の略上下方向に回動可能になされている。以下、具体的に説明する。尚、第３実施形態の本体２は、図７，図８に示すように、人差し指の一部が露出するような切り欠き部２４、及び側面切り欠き部２５を備えていない。
【００４４】
第３実施形態においては、連結部４は、図７，図８に示すように、他端部４２側が二股に分かれており、二股に分かれた部位が本体２の幅方向（Ｘ方向）の略中央まで延在しており、二股の間に本体２の基端部２２が配されるように、二股の間は基端部２２の外周形状に対応する円弧状に切り欠かれている。更に、連結部４は、他端部４２側の二股の先端部４００，４００それぞれに、本体２側に凸の凸状部（非図示）を備えている。本体２の基端部２２には、その両側面に、連結部４の先端部４００，４００それぞれの凸状部に対応する凹部（非図示）が形成されている。本体２の基端部２２の前記凹部と、連結部４の他端部４２の先端部４００，４００それぞれの凸状部とが係合（ヒンジ結合）し、第３実施形態の化粧料塗布具１Ｃにおいては、図８に示すように、ヒンジ結合部７を介して化粧料付着部３が本体２の長手方向（Ｙ方向）の略上下方向に回動可能になされている。
【００４５】
更に、第３実施形態においては、化粧料付着部３が本体２の長手方向（Ｙ方向）の略上下方向に段階的に移動可能になされている。第３実施形態においては、本体２は、図７，図８に示すように、連結部４の他端部４２側の二股に分かれた部位で挟まれた周面の中央に、連結部４側に隆起する隆起部２６を備えている。本体２の隆起部２６は、図７，図８に示すように、基端部２２に、長手方向（Ｙ方向）に長く形成されている。第３実施形態においては、連結部４は、上述したように、二股の間は円弧状に切り欠かれており、更に、図７，図８に示すように、本体２の隆起部２６に対応する位置で、長方形状に切り欠かれている。連結部４は、この長方形状に切り欠かれた部位に面する内面には、隆起部２６側に隆起する一対の凸部４４，４４が二対、Ｙ方向に離れた位置に形成されており、それら凸部４４に対応するように、本体２の隆起部２６の外面には一対の凹部２６１，２６１が二対、Ｙ方向に離れた位置に形成されている。第３実施形態においては、連結部４の長方形状に切り欠かれた部位に面する内面に形成された一対の凸部４４，４４と、本体２の隆起部２６の外面に形成された一対の凹部２６１，２６１が係合することにより、ストッパーとして機能し、一対の凸部４４，４４及び一対の凹部２６１，２６１がそれぞれ二対、Ｙ方向に離れた位置に形成されていることから、化粧料付着部３が本体２の長手方向（Ｙ方向）の略上下方向に段階的に移動可能になされている。
【００４６】
尚、第３実施形態の化粧料塗布具１Ｃにおいては、図７，図８に示すように、化粧料付着部３の軸は、ほぼ本体２の長手方向（Ｙ方向）に延びている。即ち、化粧料塗布具１Ｃの化粧料付着部３の軸線方向と、化粧料塗布具１Ｃの本体２の長手方向（Ｙ方向）に延びる中心軸線方向とのなす角度γ（図８参照）が０°（平行）から４５°の範囲であることが好ましく、より好ましくは０°〜３０°である。
【００４７】
上述した本発明の第３実施形態のまつ毛用化粧料塗布具１Ｃを使用した際の作用効果について説明する。
第３実施形態の化粧料塗布具１Ｃの効果については、第１実施形態の化粧料塗布具１Ａの効果と異なる点について説明する。特に説明しない点は、化粧料塗布具１Ａの効果と同様であり、化粧料塗布具１Ａの効果の説明が適宜適用される。
【００４８】
第３実施形態の化粧料塗布具１Ｃにおいては、図７，図８に示すように、ヒンジ結合部７を介して化粧料付着部３が本体２の略上下方向に回動可能になされているので、手首から指先までの関節を曲げる角度が小さくてすみ、まつ毛に化粧料を付着させる作業が非常に楽になる。また、腕や肘を上げる高さを低くできるので、まつ毛に化粧料を付着させる作業が非常に楽になる。
【００４９】
第３実施形態の化粧料塗布具１Ｃにおいては、図７，図８に示すように、化粧料付着部３が本体２の長手方向（Ｙ方向）の略上下方向に段階的に移動可能に形成されているので、本体２と化粧料付着部３との間の隙間を簡単に広く調節することができ、まつ毛に化粧料を付着させる作業が非常に楽になる。
【００５０】
第３実施形態の化粧料塗布具１Ｃにおいては、例えば、塗布し始めは、化粧料付着部３を本体２と平行の状態にしておくと、使用者は自分の指と化粧料付着部３の位置関係を把握し易いので、まつげ全体に一様に手早く塗布することができ、ある程度カールアップしてくる（まつげ角度が上がってくる）と、本体２と化粧料付着部３との間の空間Ｓにまつげが入りにくくなってくることがあるので、その場合は、隙間を更に広げて念入りにカールアップさせたり、部分的にカールを強調させるなど、美しいまつげに仕上げることができる。
【００５１】
尚、第３実施形態の化粧料塗布具１Ｃと、化粧料を収容した容器５とを組み合わせることでまつげ化粧用物品が提供される。
【００５２】
次に、本発明の第４実施形態のまつ毛用化粧料塗布具１Ｄ（以下、「化粧料塗布具１Ｄ」ともいう。）について、図９〜図１０に基づいて説明する。
第４実施形態の化粧料塗布具１Ｄについては、第１実施形態の化粧料塗布具１Ａと異なる点について説明する。特に説明しない点は、化粧料塗布具１Ａと同様であり、化粧料塗布具１Ａの説明が適宜適用される。
【００５３】
第４実施形態の化粧料塗布具１Ｄにおいては、図９，図１０に示すように、化粧料付着部３の基端部３２が連結部４の一端部４１に連設されており、本体２の基端部２２は連結部４の他端部４２の内径４２０より小さな外径２２０を有し、連結部４の他端部４２が本体２の基端部２２に嵌装されて、本体２の周方向に連結部４が回転可能なようになされている。以下、具体的に説明する。尚、第４実施形態の本体２は、第１実施形態の本体２と同様に、人差し指の一部が露出するような切り欠き部２４、及び側面切り欠き部２５を備えていてもよいが、図９，図１０には、切り欠き部２４及び側面切り欠き部２５は、図示されていない。
【００５４】
第４実施形態においては、本体２は、図９，図１０に示すように、基端部２２に、基端部２２以外の部位よりも小さな外径２２０の領域を有している。この外径２２０の領域に、後述する連結部４の他端部４２が嵌装される。本体２は、後述する連結部４の他端部４２が嵌装されるため、基端部２２以外の部位での外径と、外径２２０の外径の差が、０．２ｍｍ〜６ｍｍであることが好ましい。外径２２０の領域のＹ方向の長さＬ１（図９参照）は、０．５ｍｍ〜２０ｍｍであることが好ましい。図９，図１０に示すように、本体２の基端部２２のＹ方向の下方側の基端は、後述する連結部４の他端部４２の抜けを防止するフランジの役割を果たすように、外径２２０の領域より外径が大きくなっている。本体２の基端部２２にある外径２２０の領域の断面形状は、図１０に示すように、円形状である。
【００５５】
第４実施形態においては、連結部４は、図９，図１０に示すように、他端部４２側がＣ字形状に形成されている。Ｃ字形状の他端部４２は、本体２の周方向に回動可能とするため、本体２の基端部２２にある外径２２０の領域の外径より大きな内径４２０を有していてもよいが、本体２と連結部４とを嵌装する前の状態で、外径２２０の領域の外径より小さな内径４２０を有するようにしておき、Ｃ字形状の他端部４2の弾性変形を利用して、それらを嵌装させたときに、基端部２２と他端部４２の間に摩擦力が生じるようにすることで、使用時に勝手に他端部４２が回動することがないようにしてもよい。また、外径２２０の領域の外径の面と内径４２０の面のどちらかあるいは、両方の表面を梨子地にしたり、あるいは、スプライン状に形成してもよく、それにより使用時に勝手に他端部４２が回動することがないようにしてもよい。尚、第４実施形態においては、連結部４の他端部４２側がＣ字形状に形成されているが、円形状であってもよい。第４実施形態においては、図９，図１０に示すように、連結部４のＣ字形状の他端部４２が、本体２の基端部２２にある外径２２０の領域に嵌装されて、本体２の周方向に連結部４が回転可能なようになされている。
【００５６】
尚、第４実施形態の化粧料塗布具１Ｄにおいては、図９に示すように、化粧料付着部３は、本体２の長手方向（Ｙ方向）に延びている。即ち、化粧料付着部３は、化粧料付着部３の先端部３１が本体２の長手方向（Ｙ方向）の上方（本体２の先端部２１側）に延出している。
【００５７】
上述した本発明の第４実施形態のまつ毛用化粧料塗布具１Ｄを使用した際の作用効果について説明する。
第４実施形態の化粧料塗布具１Ｄの効果については、第１実施形態の化粧料塗布具１Ａの効果と異なる点について説明する。特に説明しない点は、化粧料塗布具１Ａの効果と同様であり、化粧料塗布具１Ａの効果の説明が適宜適用される。
【００５８】
第４実施形態の化粧料塗布具１Ｄにおいては、図９，図１０に示すように、連結部４の他端部４２が本体２の基端部２２に嵌装されて、本体２の周方向に連結部４が回転可能なようになされているので、本体２に挿入された指先を別の指先に嵌め換えずに、化粧料付着部３の位置を変更することができる。従って、まつ毛に化粧料を効率よく付着させることができる。
【００５９】
また、第４実施形態の化粧料塗布具１Ｄにおいては、鏡に自分の顔を映して使用する際、鏡に顔を正対させた像を映して塗布する場合や、顔を少し上に向けて下から見上げた像を映して塗布する場合など、人によってあるいは使用場面によって塗り易い像が異なることがあり、それらは鏡とまつげと化粧料付着部３と指の位置関係が変化することになるので、場合によっては化粧料付着部３や指で視界が遮られることがあるが、化粧料塗布具１Ｄによれば、化粧料付着部３の位置を簡単に変えることができるので、視界を遮ることなく鏡の像を確認しながら塗布することができる。
【００６０】
尚、第４実施形態の化粧料塗布具１Ｄと、化粧料を収容した容器とを組み合わせることでまつげ化粧用物品が提供される。
【００６１】
次に、本発明の第５実施形態のまつ毛用化粧料塗布具１Ｅ（以下、「化粧料塗布具１Ｅ」ともいう。）について、図１１〜図１２に基づいて説明する。
第５実施形態の化粧料塗布具１Ｅについては、第１実施形態の化粧料塗布具１Ａと異なる点について説明する。特に説明しない点は、化粧料塗布具１Ａと同様であり、化粧料塗布具１Ａの説明が適宜適用される。
【００６２】
第５実施形態の化粧料塗布具１Ｅにおいては、図１１，図１２に示すように、化粧料付着部３の基端部３２が連結部４の一端部４１に連設されており、本体２の先端部２１と連結部４の他端部４２とがピン８によりピン結合されている。第５実施形態の化粧料塗布具１Ｅにおいては、図１１，図１２に示すように、ピン８を軸に、化粧料付着部３が本体２の長手方向（Ｙ方向）に延びている状態から本体２の長手方向（Ｙ方向）と直交する方向（Ｘ方向）に延びている状態に移動可能なようになされている。以下、具体的に説明する。
【００６３】
第５実施形態においては、本体２は、図１１，図１２に示すように、先端部２１に本体２の長手方向（Ｙ方向）と鋭角に交差する傾斜面２１０を備えている。図１２に示す傾斜角度βは、０°〜９０°であることが好ましく、より好ましくは、３０°〜６０°である。β＝０°の場合は、第４の実施形態の化粧料塗布具１Ｄと同等の効果が得られる。第５実施形態の本体２は、第１実施形態の本体２と同様に、側面切り欠き部２５を備え、更に別の側面切り欠き部２７を一対側面に備えている。一対の側面切り欠き部２７は、図１１，図１２に示すように、化粧料付着部３と側面切り欠き部２５との間の略中央に位置する本体２の両側部に、基端部２２の基端からＹ方向に延在するように形成されている。
【００６４】
第５実施形態においては、連結部４は、図１１，図１２に示すように、後述するように本体２の先端部２１の傾斜面２１０に取り付けられた際に、本体２の外形形状に沿うように、一端部４１と他端部４２との間で逆「くの字」状に折れ曲がっている。第５実施形態の連結部４は、図１１，図１２に示すように、その他端部４２に、ピン８が挿通篏合し得る口部（不図示）が設けられている。また、第５実施形態の連結部４は、図１１，図１２に示すように、その他端部４２に、化粧料付着部３の位置を調整する際に、指で把持して利用する把持部４２１を備えている。
【００６５】
第５実施形態の化粧料塗布具１Ｅにおいては、図１１，図１２に示すように、本体２の先端部２１の傾斜面２１０に、一端部４１に化粧料付着部３が取り付けられた連結部４における他端部４２の口部（不図示）を、ピン８を用いて挿通篏合させることにより、ピン結合されている。第５実施形態の化粧料塗布具１Ｅにおいては、図１１，図１２に示すように、ピン８を軸に、連結部４が回転可能なようになされており、連結部４の回転に伴って化粧料付着部３が本体２の長手方向（Ｙ方向）に延びている状態から本体２の長手方向（Ｙ方向）と直交する方向（Ｘ方向）に延びている状態に移動可能なようになされている。
【００６６】
上述した本発明の第５実施形態のまつ毛用化粧料塗布具１Ｅを使用した際の作用効果について説明する。
第５実施形態の化粧料塗布具１Ｅの効果については、第１実施形態の化粧料塗布具１Ａの効果と異なる点について説明する。特に説明しない点は、化粧料塗布具１Ａの効果と同様であり、化粧料塗布具１Ａの効果の説明が適宜適用される。
【００６７】
第５実施形態の化粧料塗布具１Ｅにおいては、図１１，図１２に示すように、本体２の先端部２１と連結部４の他端部４２とがピン８によりピン結合されており、ピン８を軸に、化粧料付着部３が本体２の長手方向（Ｙ方向）に延びている状態から本体２の長手方向と直交する方向（Ｘ方向）に延びている状態に移動可能なようになされているので、化粧料付着部３の位置を使用者の好みに合わせて変更することができる。また、第５実施形態の化粧料塗布具１Ｅにおいては、図１１，図１２に示すように、連結部４は、その他端部４２に把持部４２１を備えているので、化粧料付着部３に手を触れることなく、化粧料付着部３の位置を容易に変更することができる。
【００６８】
第５実施形態の化粧料塗布具１Ｅにおいては、化粧料付着部３の位置を容易に変更することができるので、例えば、まつげ全体にマスカラ剤を塗布する際は、図１２の２点鎖線の位置で使用し、次に実線の位置に変更して細かな部分を仕上げるといった使い方ができる。更にこれらの位置の変更操作は、塗布具を持ち替えたりする必要がないので、マスカラ剤が乾く前に手早くまつげを整えることができ、綺麗に仕上げることが可能になる。また、図１２では、実線の位置と２点鎖線の位置とで、ピン８の軸周りに１８０°回転させた状態を示してしるが、回転角度はこの２種類に限らず、例えば９０°回転など、中間の位置の状態で使用しても構わなく、使用者の使い易い位置を自由に選ぶことができる。
【００６９】
尚、第５実施形態の化粧料塗布具１Ｅと、化粧料を収容した容器５とを組み合わせることでまつげ化粧用物品が提供される。
【００７０】
本発明のまつ毛用化粧料塗布具は、上述の第１，第２，第３，第４，第５実施形態の化粧料塗布具に何ら制限されるものではなく、適宜変更可能である。また、上述の第１，第２，第３，第４，第５実施形態の化粧料塗布具における各構成要件は、本発明の趣旨を損なわない範囲で、適宜組み合わせて実施できる。
【００７１】
例えば、上述の第１，第２，第３，第４，第５実施形態の化粧料塗布具１Ａ，１Ｂ，１Ｃ，１Ｄ，１Ｅにおいては、図１に示すように、連結部４の一端部４１に、別パーツ６を固定する土台４３が設けられているが、土台４３は設けられていなくてもよい。また、上述の第１，第２，第３，第４，第５実施形態の化粧料塗布具１Ａ，１Ｂ，１Ｃ，１Ｄ，１Ｅにおいては、図３に示すように、別パーツ６を用いて連結部４の一端部４１に容器５を固定しているが、連結部４の一端部４１に直接容器５を固定してもよい。
【００７２】
また、図１に示すように、上述の第１，第２，第３，第４，第５実施形態の化粧料塗布具１Ａ，１Ｂ，１Ｃ，１Ｄ，１Ｅと、化粧料を収容した容器５とを組み合わせることで、まつげ化粧用物品が提供されるが、容器５内の化粧料が漏れないように開口部５１をキャップで覆った容器５を複数本別個用意し、それらとセットにしたものをまつげ化粧用物品としてもよい。
【符号の説明】
【００７３】
１Ａ，１Ｂ，１Ｃ，１Ｄ，１Ｅ  まつ毛用化粧料塗布具
２  本体
２１  本体の先端部
２２  本体の基端部
２２０  外径
２３  爪用口
２４  切り欠き部
２５  側面切り欠き部
２６  隆起部
２６１  凸部
３  化粧料付着部
３１  化粧料付着部の先端部
３２  化粧料付着部の基端部
３３  芯材
３４  毛材
４  連結部
４１  連結部の一端部
４２  連結部の他端部
４００  他端部の先端部
４２０  内径
４２１  把持部
４３  土台
４４  凸部
５  容器
５１  開口部
６  別パーツ
６１  しごき部
７  ヒンジ結合部
８  ピン
Ｓ  空間
【図１】
0005740141.tif 000002
【図２】
0005740141.tif 000003
【図３】
0005740141.tif 000004
【図４】
0005740141.tif 000005
【図５】
0005740141.tif 000006
【図６】
0005740141.tif 000007
【図７】
0005740141.tif 000008
【図８】
0005740141.tif 000009
【図９】
0005740141.tif 000010
【図１０】
0005740141.tif 000011
【図１１】
0005740141.tif 000012
【図１２】
0005740141.tif 000013